(57)【特許請求の範囲】
【請求項１】
システム加入者が所持する携帯電話機と、料金予納受付店に設置されたスクランブラと、交換機に設置されたデスクランブラとを備え、
システム加入者が料金予納受付店で通話料等の予納料金を定額で納付すると、交換機に登録されている予納料金の金額に対応した予納番号をシステム加入者の携帯電話機のＩＤ番号でスクランブル化した暗号番号が料金予納受付店のスクランブラにより生成され、その生成された暗号番号がシステム加入者に通知されるとともに、
システム加入者が暗号番号を入力して携帯電話機から発信すると、発信された暗号番号を携帯電話機のＩＤ番号でデスクランブル化した復号番号が交換機のデスクランブラにより生成され、その生成された復号番号が交換機に登録されている予納番号と一致したときに、そのＩＤ番号の携帯電話機の予納番号に対応した金額分の通話が許可される
ことを特徴とする携帯電話プリペイドシステム。
【請求項２】
システム加入者が所持する携帯電話機と、料金予納受付店に設置されたスクランブラと、交換機に設置されたデスクランブラとを備え、
料金予納受付店と交換機が専用回線で接続され、システム加入者が料金予納受付店で通話料等の予納料金を任意の金額で納付すると、交換機から料金予納受付店にあらかじめ割り当てられている予納番号を予納料金の金額に対応させ、その予納番号をシステム加入者の携帯電話機のＩＤ番号でスクランブル化した暗号番号が料金予納受付店のスクランブラにより生成され、その生成された暗号番号がシステム加入者に通知されるとともに、予納金額とその金額に対応した予納番号が料金予納受付店から交換機に通知されて交換機に予納金額と予納番号が記録され、
システム加入者が暗号番号を入力して携帯電話機から発信すると、発信された暗号番号を携帯電話機のＩＤ番号でデスクランブル化した復号番号が交換機のデスクランブラにより生成され、その生成された復号番号が交換機に登録されている予納番号と一致したときに、そのＩＤ番号の携帯電話機の予納番号に対応した金額分の通話が許可される
ことを特徴とする携帯電話プリペイドシステム。
【請求項３】
料金予納受付店にプリペイドシート発行装置が設置され、システム加入者が通話料等の予納料金を納付するのと引き換えに、予納番号をシステム加入者の携帯電話機のＩＤ番号でスクランブル化した暗号番号をプリントしたプリペイドシートが発行される
ことを特徴とする請求項１または２に記載の携帯電話プリペイドシステム。
【発明の詳細な説明】
【０００１】
【発明の属する技術分野】
この発明は、通話料等の料金を予め前払いして携帯電話機の通話を可能とする携帯電話プリペイドシステムに関する。
【０００２】
【従来の技術】
携帯電話プリペイドシステムとしては、携帯電話機の販売価格に通話料が含まれていて通話料分だけ通話し終わるとその携帯電話機が使用できなくなるプリペイド式携帯電話と、携帯電話機と同時にスクラッチ式のプリペイドカードを購入して、このカードに不可視情報として隠蔽されているプリペイド番号を携帯電話機に入力して通話するとカードの残高から通話料が差し引かれ、カードの残高がなくなるか受信許容期日まで受信でき、カードを買い直せば繰り返し携帯電話機を使用することができるプリペイドカード式携帯電話が知られている。
【０００３】
しかし、前者のプリペイド式携帯電話は、使用者登録も通話料精算方法の指定も不要で使用者にとっては手軽であるが、犯罪に利用されやすく、また、携帯電話機の使い捨てになるので資源の浪費にもなる。
【０００４】
後者のプリペイドカード式携帯電話は、プリペイドカードを買い直せば繰り返し携帯電話機を使用することができる反面、他人にカードのプリペイド番号を盗まれると他の携帯電話機で使用されてしまうので、カードの保管や使用に際して注意が必要であり、このプリペイドカードも使い捨てになるので、その分コスト高となり、資源の無駄遣いにもなる。
【０００５】
【発明が解決しようとする課題】
この発明は、上記のような問題点に鑑みてなされたものであり、その目的とするところは、プリペイドカードを使用しないため低コストであり、かつ他人の盗用を防止できる携帯電話プリペイドシステムを提供することにある。
【０００６】
【課題を解決するための手段】
上記目的を達成するために、この発明に係る携帯電話プリペイドシステムは、システム加入者が所持する携帯電話機と、料金予納受付店に設置されたスクランブラと、交換機に設置されたデスクランブラとを備え、システム加入者が料金予納受付店で通話料等の予納料金を定額で納付すると、交換機に登録されている予納料金の金額に対応した予納番号をシステム加入者の携帯電話機のＩＤ番号でスクランブル化した暗号番号が料金予納受付店のスクランブラにより生成され、その生成された暗号番号がシステム加入者に通知されるとともに、システム加入者が暗号番号を入力して携帯電話機から発信すると、発信された暗号番号を携帯電話機のＩＤ番号でデスクランブル化した復号番号が交換機のデスクランブラにより生成され、その生成された復号番号が交換機に登録されている予納番号と一致したときに、そのＩＤ番号の携帯電話機の予納番号に対応した金額分の通話が許可されることを特徴とするものである。
【０００７】
この発明によれば、予納番号スクランブル／デスクランブル式の携帯電話プリペイドシステムとしたことにより、料金予納受付店に予納番号を暗号番号にスクランブル化するための各店共通のスクランブラを、また、電話局等の交換機側に暗号番号を復号番号にデスクランブル化するためのデスクランブラを設置すればよく、プリペイドカードの発行が不要となり、低コストでシステムを構築できる。
【０００８】
また、この発明に係る携帯電話プリペイドシステムは、システム加入者が所持する携帯電話機と、料金予納受付店に設置されたスクランブラと、交換機に設置されたデスクランブラとを備え、料金予納受付店と交換機が専用回線で接続され、システム加入者が料金予納受付店で通話料等の予納料金を任意の金額で納付すると、交換機から料金予納受付店にあらかじめ割り当てられている予納番号を予納料金の金額に対応させ、その予納番号をシステム加入者の携帯電話機のＩＤ番号でスクランブル化した暗号番号が料金予納受付店のスクランブラにより生成され、その生成された暗号番号がシステム加入者に通知されるとともに、予納金額とその金額に対応した予納番号が料金予納受付店から交換機に通知されて交換機に予納金額と予納番号が記録され、システム加入者が暗号番号を入力して携帯電話機から発信すると、発信された暗号番号を携帯電話機のＩＤ番号でデスクランブル化した復号番号が交換機のデスクランブラにより生成され、その生成された復号番号が交換機に登録されている予納番号と一致したときに、そのＩＤ番号の携帯電話機の予納番号に対応した金額分の通話が許可されることを特徴とするものである。
【０００９】
この発明によれば、発信者が予納料金の金額を任意に設定でき、また、予納料金の金額が交換機に登録されることによって、携帯電話機の使用が即時に開始できる。
【００１０】
また、この発明に係る携帯電話プリペイドシステムは、料金予納受付店にプリペイドシート発行装置が設置され、システム加入者が通話料等の予納料金を納付するのと引き換えに、予納番号をシステム加入者の携帯電話機のＩＤ番号でスクランブル化した暗号番号をプリントしたプリペイドシートが発行されることを特徴とするものである。
【００１１】
この発明によれば、暗号番号がプリントされたプリペイドシートを発行することによって、プリペイドカードを発行しない分コストの低減を図ることができるとともに、発信者はこのシートを見ながら確実に暗号番号の登録を行なうことができ、たとえこのシートにプリントされた暗号番号を料金予納受付店の店員や他人が盗み見て、他の携帯電話機にこの暗号番号を入力して通話を試みたとしても、他の携帯電話機のＩＤ番号によって暗号番号をデスクランブル化した復号番号は予納番号と一致しないため通話をすることができず、したがって、他人に盗用されるおそれがない。
【００１２】
【発明の実施の形態】
この発明に係る携帯電話プリペイドシステムの第一の実施形態について、図１に基づき説明する。
【００１３】
このシステム１０は、多数のシステム加入者（以下、発信者という。）が所持する通信端末機である携帯電話機１と、料金予納受付店２と、電話局等の交換機（以下、交換機という。）３と、複数の基地局４，４−１，４−２，４−３，…，４−ｎとから構成されており、携帯電話機１とこの携帯電話機１が位置するエリアの基地局４とは電波によって、交換機３と複数の基地局４，４−１，４−２，４−３，…，４−ｎとはケーブルによって接続されている。
【００１４】
発信者は、このシステム１０に加入する際には、周知のコンビニ店等の料金予納受付店２に、通話料等の料金を前払いする。支払いの方法は、従来のプリペイドカード式携帯電話のように、３０００円，５０００円といったように定額料金を支払う。
【００１５】
料金予納受付店２には、交換機３の図示しないデータベースに記録されている予納番号があらかじめ割り与えられている。この予納番号は、例えば、予納番号１２３４＝３０００円，予納番号５６７８＝５０００円といったように、番号と金額が対応するように設定される。
【００１６】
さらに、料金予納受付店２は、各店共通のスクランブラ５を備えており、発信者が定額料金を予納すると、その金額に応じた予納番号を発信者本人の携帯電話機のＩＤ番号によってスクランブル化して得られる暗号番号を発信者に通知する役割を担う。
【００１７】
この発明において「ＩＤ番号」とは、携帯電話機本体の電話番号や製造番号等のように電話機本体毎に付与されている番号であって、携帯電話機を特定できる番号であればよい。また、「スクランブル化」とは、予納番号を携帯電話機のＩＤ番号によって配列替えし暗号番号に変換するための処理をいい、番号の配列替えを行なうための一定の演算式を記憶した装置を「スクランブラ」という。
【００１８】
発信者は、暗号番号を通知されると、携帯電話機１のキー操作によって暗号番号を入力して交換機３に対して発信する。携帯電話機１から発信された暗号番号は携帯電話機１のＩＤ番号とともに、この携帯電話機１が位置するエリアの基地局４を介して交換機３に送られ、暗号番号は交換機３のデータベースに記録される。
【００１９】
交換機３は、デスクランブラ６を備えており、暗号番号をＩＤ番号によってデスクランブル化して得られる復号番号と、既に記録されている予納番号とを照合する。
【００２０】
この発明において「デスクランブル化」とは、予納番号を携帯電話機のＩＤ番号によってスクランブル化して得られた暗号番号をＩＤ番号によって復号化するための処理をいい、この復号化された番号を復号番号，復号化するための一定の演算式を記憶した装置を「デスクランブラ」という。
【００２１】
交換機３は、上記照合によって復号番号と予納番号とが一致すると、上記ＩＤ番号の携帯電話機の予納番号に対応した金額分の通話を可能とする。
【００２２】
上記のように、この実施形態における携帯電話プリペイドシステム１０によれば、予納番号スクランブル／デスクランブル式の携帯電話プリペイドシステムとしたことにより、料金予納受付店２に予納番号を暗号番号にスクランブル化するための各店共通のスクランブラ５を、また、電話局の交換機３側に暗号番号を復号番号にデスクランブル化するためのデスクランブラ６を設置する構成とすればよく、従来のようなプリペイドカードの発行が不要となり、低コストでシステムを構築できる。
【００２３】
次に、この発明に係る携帯電話プリペイドシステムの第二の実施形態について、図２に基づき説明する。
【００２４】
この実施形態における携帯電話プリペイドシステム１０は、携帯電話機１と、料金予納受付店２と、交換機３と、複数の基地局４，４−１，４−２，４−３，…，４−ｎとから構成されている点においては第一の実施形態と同一であるためその詳細説明を省略する。
【００２５】
発信者は、このシステム１０に加入する際には、周知のコンビニ店等の料金予納受付店２に、通話料等の料金を前払いする。予納する金額は、発信者が任意に決定することができる。
【００２６】
料金予納受付店２と交換機３とは専用のオンライン回線で結ばれており、料金予納受付店２には、交換機３の図示しないデータベースに記録されている予納番号があらかじめ割り与えられている。発信者が通話料等の料金を予納すると、料金予納受付店２は、予納金額とその金額に対応した予納番号とを交換機３に通知し、この予納金額と予納番号とは交換機３に記録される。
【００２７】
さらに、料金予納受付店２は、第一の実施形態と同様に、各店共通のスクランブラ５を備えており、発信者が任意の金額を予納すると、その金額に対応した予納番号を発信者本人の携帯電話機のＩＤ番号によってスクランブル化して得られる暗号番号を発信者に通知する。
【００２８】
発信者は、暗号番号を通知されると、携帯電話機１のキー操作によって暗号番号を入力して交換機３に対して発信する。携帯電話機１から発信された暗号番号は携帯電話機１のＩＤ番号とともに、この携帯電話機１が位置するエリアの基地局４を介して交換機３に送られ、暗号番号は交換機３のデータベースに記録される。
【００２９】
交換機３は、デスクランブラ６を備えており、暗号番号をＩＤ番号によってデスクランブル化して得られる復号番号と、既に記録されている予納番号とを照合する。
【００３０】
交換機３は、上記照合によって復号番号と予納番号とが一致すると、上記ＩＤ番号の携帯電話機の予納番号に対応した予納金額分の通話を可能とする。
【００３１】
上記のように、この実施形態における携帯電話プリペイドシステム１０によれば、発信者が予納する金額を任意に設定することができるとともに、予納料金の金額が交換機３に登録されることによって、このシステムにおける携帯電話機の使用が即時に開始できる。
【００３２】
次に、この発明に係る携帯電話プリペイドシステムの第三の実施形態について、図３，４に基づき説明する。
【００３３】
この実施形態において、料金予納受付店２に設置される各店共通のスクランブラ５は、図３に示すように、発信者が通話料等の料金を予納するのと引き換えに、予納番号をＩＤ番号によってスクランブル化して得られた暗号番号がプリントされたプリペイドシート７を発行するプリペイドシート発行装置７ａを備えている。
【００３４】
このプリペイドシート７は、従来のスクラッチ式のプリペイドカードのようにプリペイド番号等を不可視情報として隠蔽する構造とする必要はなく、安価な紙媒体でよい。また、このプリペイドシート７には、図４に示すように、携帯電話機本体の所有者名ａ，料金予納受付店名ｂ，料金予納時刻ｃ，料金予納金額ｄ，暗号番号ｅ，料金予納残高ｆ等が記載されているが、公知のレジスターが発行するレシートに上記暗号番号等を付記表示する形態とすることもできる。
【００３５】
上記のように、この実施形態における携帯電話プリペイドシステム１０によれば、暗号番号等がプリントされたプリペイドシート７を発行することによって、従来のスクラッチ式のプリペイドカードを発行しない分コストの低減を図ることができるとともに、発信者はこのプリペイドシート７を見ながら確実に暗号番号の登録を行なうことができる。
【００３６】
また、たとえこのプリペイドシート７にプリントされた暗号番号を料金予納受付店の店員や他人が盗み見て、他の携帯電話機にこの暗号番号を入力して通話を試みたとしても、他の携帯電話機のＩＤ番号によって暗号番号をデスクランブル化した復号番号は予納番号と一致しないため通話をすることができず、したがって、他人に盗用されるおそれがない。
【００３７】
【発明の効果】
以上詳細に説明したように、この発明によれば、以下のような効果を奏する。
【００３８】
（１）予納番号スクランブル／デスクランブル式の携帯電話プリペイドシステムとしたことにより、料金予納受付店に予納番号を暗号番号にスクランブル化するための各店共通のスクランブラを、また、電話局等の交換機側に暗号番号を復号番号にデスクランブル化するためのデスクランブラを設置すればよく、プリペイドカードの発行が不要となり、低コストでシステムを構築できる。
【００３９】
（２）定額のプリペイドカードを購入するシステムではなく、発信者が予納料金の金額を任意に設定でき、また、予納料金の金額が交換機に登録されることによって、携帯電話機の使用が即時に開始できる。
【００４０】
（３）暗号番号がプリントされたプリペイドシートを発行することによって、プリペイドカードを発行しない分コストの低減を図ることができるとともに、発信者はこのプリペイドシートを見ながら確実に暗号番号の登録を行なうことができ、たとえこのプリペイドシートにプリントされた暗号番号を料金予納受付店の店員や他人が盗み見て、他の携帯電話機にこの暗号番号を入力して通話を試みたとしても、他の携帯電話機のＩＤ番号によって暗号番号をデスクランブル化した復号番号は予納番号と一致しないため通話をすることができず、したがって、他人に盗用されるおそれがない。
【図面の簡単な説明】
【図１】この発明に係る携帯電話プリペイドシステムの第一の実施形態を説明するブロック図である。
【図２】この発明に係る携帯電話プリペイドシステムの第二の実施形態を説明するブロック図である。
【図３】この発明に係る携帯電話プリペイドシステムに使用するプリペイドシート発行装置を示す斜視図である。
【図４】この発明に係る携帯電話プリペイドシステムに使用するプリペイドシートの例を示す説明図である。
【符号の説明】
１  携帯電話機
２  料金予納受付店
３  交換機
４，４−１，４−２，…，４−ｎ  基地局
５  スクランブラ
６  デスクランブラ
７  プリペイドシート
７ａ  プリペイドシート発行装置
１０  携帯電話プリペイドシステム
【図１】
0004232936.tif 000002
【図２】
0004232936.tif 000003
【図３】
0004232936.tif 000004
【図４】
0004232936.tif 000005